(57)【要約】  実施形態の印刷制御プログラムは、比較する処理と、送信する処理とをコンピュータに実行させる。比較する処理は、複合機から印刷ジョブの一覧表示の出力の指示を受信した場合または印刷データの出力の指示を受信した場合に、端末から受信した端末で設定された印刷データの印刷設定と、所定の印刷設定または複合機に対応する印刷設定とを比較する。送信する処理は、比較結果に応じて、複合機に対し、端末で設定された印刷設定に基づいて出力する場合の画面イメージと、所定の印刷設定または複合機に対応する印刷設定に基づいて出力する場合の画面イメージを送信する。
2019215892.tif 000002
【特許請求の範囲】
【請求項１】
複合機から印刷ジョブの一覧表示の出力の指示を受信した場合または印刷データの出力の指示を受信した場合に、端末から受信した前記端末で設定された印刷データの印刷設定と、所定の印刷設定または前記複合機に対応する印刷設定とを比較し、
比較結果に応じて、前記複合機に対し、前記端末で設定された印刷設定に基づいて出力する場合の画面イメージと、前記所定の印刷設定または前記複合機に対応する前記印刷設定に基づいて出力する場合の画面イメージを送信する、
処理をコンピュータに実行させることを特徴とする印刷制御プログラム。
【請求項２】
前記比較結果として、記憶部に記憶した印刷設定または前記印刷データを出力する複合機に対応付けて設定された印刷設定で印刷が行われる際の印刷枚数または印刷コストに対し、前記端末で設定された印刷設定で印刷が行われる際の印刷枚数または印刷コストが増加する場合に前記画面イメージの出力を指示する、
処理をコンピュータに実行させることを特徴とする請求項１に記載の印刷制御プログラム。
【請求項３】
前記画面イメージとともに、いずれの画面イメージに基づき印刷を実行するかの選択画面の出力を指示する、
処理をコンピュータに実行させることを特徴とする請求項１または２に記載の印刷制御プログラム。
【請求項４】
前記画面イメージとともに、前記端末により設定された印刷設定と前記複合機に予め設定された印刷設定とに基づいて印刷が実行される際の印刷枚数、印刷コストに関する情報の出力を指示する、
処理をコンピュータに実行させることを特徴とする請求項１に記載の印刷制御プログラム。
【請求項５】
プリンタードライバーがインストールされた端末から印刷ジョブを受信した場合に、前記端末から受信した前記端末で設定された印刷データの印刷設定と、所定の印刷設定または前記複合機に対応する印刷設定とを比較し、
比較結果に応じて、前記端末に対し、前記端末で設定された印刷設定に基づいて出力する場合の画面イメージと、前記所定の印刷設定または前記複合機に対応する前記印刷設定に基づいて出力する場合の画面イメージを送信する、
処理をコンピュータに実行させることを特徴とする印刷制御プログラム。
【請求項６】
複合機から印刷ジョブの一覧表示の出力の指示を受信した場合または印刷データの出力の指示を受信した場合に、端末から受信した前記端末で設定された印刷データの印刷設定と、所定の印刷設定または前記複合機に対応する印刷設定とを比較し、
比較結果に応じて、前記複合機に対し、前記端末で設定された印刷設定に基づいて出力する場合の画面イメージと、前記所定の印刷設定または前記複合機に対応する前記印刷設定に基づいて出力する場合の画面イメージを送信する、
処理をコンピュータが実行することを特徴とする印刷制御方法。
【請求項７】
前記比較結果として、記憶部に記憶した印刷設定または前記印刷データを出力する複合機に対応付けて設定された印刷設定で印刷が行われる際の印刷枚数または印刷コストに対し、前記端末で設定された印刷設定で印刷が行われる際の印刷枚数または印刷コストが増加する場合に前記画面イメージの出力を指示する、
処理をコンピュータが実行することを特徴とする請求項６に記載の印刷制御方法。
【請求項８】
前記画面イメージとともに、いずれの画面イメージに基づき印刷を実行するかの選択画面の出力を指示する、
処理をコンピュータが実行することを特徴とする請求項６または７に記載の印刷制御方法。
【請求項９】
前記画面イメージとともに、前記端末により設定された印刷設定と前記複合機に予め設定された印刷設定とに基づいて印刷が実行される際の印刷枚数、印刷コストに関する情報の出力を指示する、
処理をコンピュータが実行することを特徴とする請求項６に記載の印刷制御方法。
【請求項１０】
プリンタードライバーがインストールされた端末から印刷ジョブを受信した場合に、前記端末から受信した前記端末で設定された印刷データの印刷設定と、所定の印刷設定または前記複合機に対応する印刷設定とを比較し、
比較結果に応じて、前記端末に対し、前記端末で設定された印刷設定に基づいて出力する場合の画面イメージと、前記所定の印刷設定または前記複合機に対応する前記印刷設定に基づいて出力する場合の画面イメージを送信する、
処理をコンピュータが実行することを特徴とする印刷制御方法。
【請求項１１】
複合機から印刷ジョブの一覧表示の出力の指示を受信した場合または印刷データの出力の指示を受信した場合に、端末から受信した前記端末で設定された印刷データの印刷設定と、所定の印刷設定または前記複合機に対応する印刷設定とを比較する比較部と、
比較結果に応じて、前記複合機に対し、前記端末で設定された印刷設定に基づいて出力する場合の画面イメージと、前記所定の印刷設定または前記複合機に対応する前記印刷設定に基づいて出力する場合の画面イメージを送信する通信部と、
を有することを特徴とする印刷制御装置。
【請求項１２】
前記送信部は、前記比較結果として、記憶部に記憶した印刷設定または前記印刷データを出力する複合機に対応付けて設定された印刷設定で印刷が行われる際の印刷枚数または印刷コストに対し、前記端末で設定された印刷設定で印刷が行われる際の印刷枚数または印刷コストが増加する場合に前記画面イメージの出力を指示する、
ことを特徴とする請求項１１に記載の印刷制御装置。
【請求項１３】
前記送信部は、前記画面イメージとともに、いずれの画面イメージに基づき印刷を実行するかの選択画面の出力を指示する、
ことを特徴とする請求項１１または１２に記載の印刷制御装置。
【請求項１４】
前記送信部は、前記画面イメージとともに、前記端末により設定された印刷設定と前記複合機に予め設定された印刷設定とに基づいて印刷が実行される際の印刷枚数、印刷コストに関する情報の出力を指示する、
ことを特徴とする請求項１１に記載の印刷制御装置。
【請求項１５】
プリンタードライバーがインストールされた端末から印刷ジョブを受信した場合に、前記端末から受信した前記端末で設定された印刷データの印刷設定と、所定の印刷設定または前記複合機に対応する印刷設定とを比較する比較部と、
比較結果に応じて、前記端末に対し、前記端末で設定された印刷設定に基づいて出力する場合の画面イメージと、前記所定の印刷設定または前記複合機に対応する前記印刷設定に基づいて出力する場合の画面イメージを送信する通信部と、
を有することを特徴とする印刷制御装置。
【発明の詳細な説明】
【技術分野】
【０００１】
本発明の実施形態は、印刷制御プログラム、印刷制御方法および印刷制御装置に関する。
【背景技術】
【０００２】
従来、ユーザーが利用する端末と、印刷機能を有する複合機との間に介在し、端末から複合機への印刷データの受け渡しを仲介して複合機での印刷を管理する印刷管理システムがある。
【先行技術文献】
【特許文献】
【０００３】
【特許文献１】特開２０１３−２１４２４３号公報
【特許文献２】特開２０１２−１４２７４号公報
【特許文献３】特開２０１２−１８１７７６号公報
【発明の概要】
【発明が解決しようとする課題】
【０００４】
しかしながら、上記の従来技術では、印刷枚数が多くなる１  ｉｎ  １印刷やモノクロ印刷よりも高コストなカラー印刷を行う設定の印刷データを受け付けた場合、ユーザーがその設定内容に気づくことなく、そのまま印刷されるという問題がある。このため、高コストでの誤った印刷がそのまま実行される場合がある。【０００５】
１つの側面では、高コストでの誤った印刷を抑制することができる印刷制御プログラム、印刷制御方法および印刷制御装置を提供することを目的とする。
【課題を解決するための手段】
【０００６】
第１の案では、印刷制御プログラムは、比較する処理と、送信する処理とをコンピュータに実行させる。比較する処理は、複合機から印刷ジョブの一覧表示の出力の指示を受信した場合または印刷データの出力の指示を受信した場合に、端末から受信した端末で設定された印刷データの印刷設定と、所定の印刷設定または複合機に対応する印刷設定とを比較する。送信する処理は、比較結果に応じて、複合機に対し、端末で設定された印刷設定に基づいて出力する場合の画面イメージと、所定の印刷設定または複合機に対応する印刷設定に基づいて出力する場合の画面イメージを送信する。
【発明の効果】
【０００７】
本発明の１実施態様によれば、高コストでの誤った印刷を抑制することができる。
【図面の簡単な説明】
【０００８】
【図１】図１は、実施形態にかかる印刷管理システムの機能構成例を示すブロック図である。
【図２】図２は、実施形態にかかる印刷管理システムの概要を説明する説明図である。
【図３】図３は、実施形態にかかる印刷管理システムの動作例を示すフローチャートである。
【図４】図４は、一覧画面の一例を説明する説明図である。
【図５】図５は、設定情報の一例を説明する説明図である。
【図６−１】図６−１は、画面イメージの表示画面例を説明する説明図である。
【図６−２】図６−２は、画面イメージの表示画面例を説明する説明図である。
【図６−３】図６−３は、画面イメージの表示画面例を説明する説明図である。
【図６−４】図６−４は、画面イメージの表示画面例を説明する説明図である。
【図７】図７は、実施形態にかかる印刷管理システムの動作例を示すフローチャートである。
【図８】図８は、ハードウェア構成例を説明する説明図である。
【発明を実施するための形態】
【０００９】
以下、図面を参照して、実施形態にかかる印刷制御プログラム、印刷制御方法および印刷制御装置を説明する。実施形態において同一の機能を有する構成には同一の符号を付し、重複する説明は省略する。なお、以下の実施形態で説明する印刷制御プログラム、印刷制御方法および印刷制御装置は、一例を示すに過ぎず、実施形態を限定するものではない。また、以下の各実施形態は、矛盾しない範囲内で適宜組みあわせてもよい。
【００１０】
図１は、実施形態にかかる印刷管理システムの機能構成例を示すブロック図である。図１に示すように、印刷管理システム１は、ＰＣ２（ＰＣ：パーソナルコンピュータ）と、印刷機能を有する複合機３と、印刷管理サーバ１００とがＬＡＮ（Local  Area  Network）等の通信ネットワーク（図示しない）を介して互いに通信可能に接続される構成である。
【００１１】
ＰＣ２は、本社の他に支店などの複数の拠点に設置され、各拠点においてユーザーが利用する端末の一例である。ＰＣ２は、例えばシンクライアント端末であってもよい。
【００１２】
複合機３は、ＰＣ２と同様に複数の拠点に設置され、印刷機能、印刷する印刷ジョブの閲覧・操作を行う表示・操作機能、スキャン機能などの複数の機能を有する機器である。なお、本実施形態では、複合機３は、印刷機能および印刷ジョブの閲覧・操作を行う表示・操作機能を有するものとする。
【００１３】
印刷管理サーバ１００は、ＰＣ２から複合機３への印刷データ１１０の受け渡しを仲介し、印刷データ１１０に基づく複合機３での印刷を管理する印刷制御装置の一例である。
【００１４】
図２は、実施形態にかかる印刷管理システム１の概要を説明する説明図である。図２に示すように、ＰＣ２は、印刷アプリケーション２１と、プリンタードライバー２２とを有する。印刷アプリケーション２１は、例えばワープロソフト、表計算ソフト等であり、印刷対象の文書データを生成するアプリケーションである。プリンタードライバー２２は、印刷アプリケーション２１により生成された印刷対象の文書データをもとに、ＸＰＳ（XML  Paper  Specification）等のページ記述言語などで印刷内容が記述された印刷データ１１０を生成する。プリンタードライバー２２は、生成した印刷データ１１０を印刷管理サーバ１００へ送信する。
【００１５】
印刷管理サーバ１００は、ＰＣ２から送られた印刷データ１１０を１件の印刷ジョブとしてジョブＩＤなどの識別情報を付与した上で管理する。具体的には、印刷管理サーバ１００は、ＰＣ２から送られた印刷データ１１０を、ユニークなジョブＩＤを付与して記憶部１０２に格納する。この印刷データ１１０には、文書名、ユーザー名、日付／時刻、ファイルの種類（ワープロファイル、表計算ファイル…）、ＰＣ２で設定された印刷設定（モノクロ／カラー／ページ数／部数）、拠点を示す拠点情報などの属性情報が含まれている。印刷管理サーバ１００は、記憶部１０２に格納する際に印刷データ１１０に含まれる属性情報を読み出し、印刷属性１１１としてジョブＩＤを付与した上で管理してよい。
【００１６】
印刷管理サーバ１００は、複合機３のＷｅｂブラウザ３１を介した印刷ジョブの閲覧要求に応じて、自身が管理する印刷ジョブの印刷属性１１１を記憶部１０２より読み出す。次いで、印刷管理サーバ１００は、読み出した印刷属性１１１をもとに、印刷ジョブの一覧を表示する一覧画面をＷｅｂブラウザ３１に表示し、一覧画面におけるユーザー４の選択操作により印刷ジョブの印刷指示を受け付ける。
【００１７】
複合機３のＷｅｂブラウザ３１を介して印刷ジョブの印刷指示を受信した場合、印刷管理サーバ１００の印刷制御部１０５は、該当する印刷ジョブの印刷データ１１０を記憶部１０２より読み出す。次いで、印刷制御部１０５は、印刷指示のあった複合機３に対応するプリンタードライバー１０７を介して複合機３での印刷用の印刷データ１１０ａを生成し、複合機３へ送信する。複合機３では、印刷管理サーバ１００より送信された印刷データ１１０ａに基づく印刷を実行する。これにより、ユーザー４は、印刷管理サーバ１００が管理する印刷ジョブを複合機３の一覧画面より確認し、所定の印刷ジョブの印刷を実行することができる。
【００１８】
ここで、印刷管理サーバ１００の機能構成について詳細に説明する。図１に示すように、印刷管理サーバ１００は、通信部１０１、記憶部１０２、記憶処理部１０３、比較部１０４および印刷制御部１０５を有する。
【００１９】
通信部１０１は、ＰＣ２および複合機３との通信を行う。具体的には、通信部１０１は、ＰＣ２より印刷データ１１０と、印刷データ１１０の印刷属性１１１とを受信する。また、通信部１０１は、ＰＣ２や複合機３のＷｅｂブラウザ３１等の閲覧要求に応じて、記憶部１０２が記憶する印刷属性１１１をもとに、印刷ジョブの一覧を表示する一覧画面の表示データを生成して要求元（ＰＣ２または複合機３）に送信する。また、通信部１０１は、ＰＣ２や複合機３のＷｅｂブラウザ３１等の操作指示による、所定の印刷ジョブの印刷指示を受信する。
【００２０】
記憶部１０２は、ＨＤＤ１００ｂ（図９参照）などの記憶装置であり、ＰＣ２からの印刷データ１１０および印刷属性１１１と、設定情報１１２とを記憶する。
【００２１】
設定情報１１２は、印刷管理システム１のネットワーク設定、ＰＣ２や複合機３ごとの各種設定を管理する設定データなどであり、印刷管理システム１の管理者などにより予め設定される。例えば、設定情報１１２には、複合機３での印刷時において標準とする印刷設定が含まれる。この印刷設定には、カラー／モノクロ、片面／両面、レイアウト（１  ｉｎ  １／２  ｉｎ  １／４  ｉｎ  １など）などがある。なお、印刷設定については、印刷アプリケーション２１におけるファイル（例えば、文書ファイル、プレゼンテーションファイル、表計算ファイルなど）の種類ごとに用意されていてもよい。また、印刷設定は、複合機３を示すプリンター名などに対応した複合機３ごとに用意されていてもよい。
【００２２】
また、設定情報１１２には、各種印刷設定で出力する場合の印刷物にかかる画面イメージが含まれる。具体的には、設定情報１１２は、カラー／モノクロ、片面／両面、レイアウト（１  ｉｎ  １／２  ｉｎ  １／４  ｉｎ  １など）などの印刷設定ごとに、印刷設定で出力する場合に対応する画面イメージの表示データを有する。
【００２３】
記憶処理部１０３は、記憶部１０２へのデータの格納や記憶部１０２に格納されたデータの読み出しなどの記憶処理を行う。具体的には、記憶処理部１０３は、ＰＣ２より受信した印刷データ１１０と、印刷データ１１０と共に送られる印刷属性１１１とを同一のジョブＩＤを付与して記憶部１０２に格納する。また、記憶処理部１０３は、通信部１０１を介した複合機３からの閲覧要求に応じて、各印刷ジョブの印刷属性１１１を記憶部１０２より読み出して通信部１０１へ送る。また、記憶処理部１０３は、比較部１０４や印刷制御部１０５からの要求に応じて印刷属性１１１や比較部１０４を読み出して要求元へ送る。
【００２４】
比較部１０４は、複合機３から印刷ジョブの一覧表示の出力の指示を通信部１０１が受信した場合に、ＰＣ２から受信した印刷データ１１０の印刷設定と、設定情報１１２における所定の印刷設定または複合機３に対応する印刷設定とを比較する。また、比較部１０４は、複合機３から印刷データ１１０の出力の指示を受信した場合に、ＰＣ２から受信した印刷データ１１０の印刷設定と、設定情報１１２における所定の印刷設定または複合機３に対応する印刷設定とを比較する。
【００２５】
具体的には、比較部１０４は、複合機３から出力の指示のあった印刷ジョブについて、印刷ジョブのジョブＩＤをもとに記憶部１０２における印刷属性１１１より印刷設定を読み出す。次いで、比較部１０４は、設定情報１１２より標準とする印刷設定または出力の指示のあった複合機３のプリンター名などに対応する印刷設定を読み出す。次いで、比較部１０４は、読み出した印刷設定について、カラー／モノクロ、片面／両面、レイアウトの各項目を比較する。
【００２６】
通信部１０１は、比較部１０４の比較結果に応じて、複合機３に対し、ＰＣ２で設定された印刷設定に基づいて出力する場合の画面イメージと、設定情報１１２における所定の印刷設定または複合機３に対応する印刷設定に基づいて出力する場合の画面イメージを出力する。具体的には、通信部１０１は、設定情報１１２における印刷設定ごとの画面イメージをもとに、ＰＣ２で設定された印刷設定の画面イメージと、所定の印刷設定または複合機３に対応する印刷設定の画面イメージを複合機３に対して出力する。
【００２７】
また、比較部１０４は、プリンタードライバー２２がインストールされたＰＣ２から印刷ジョブを受信した場合に、ＰＣ２から受信した印刷データ１１０の印刷設定と、設定情報１１２における所定の印刷設定または複合機３に対応する印刷設定とを比較する。
【００２８】
具体的には、比較部１０４は、ＰＣ２から受信した印刷ジョブについて、印刷属性１１１より印刷設定を読み出す。次いで、比較部１０４は、設定情報１１２より標準とする印刷設定または出力先の複合機３のプリンター名などに対応する印刷設定を読み出す。次いで、比較部１０４は、読み出した印刷設定について、カラー／モノクロ、片面／両面、レイアウトの各項目を比較する。
【００２９】
通信部１０１は、比較部１０４の比較結果に応じて、ＰＣ２に対し、ＰＣ２で設定された印刷設定に基づいて出力する場合の画面イメージと、設定情報１１２における所定の印刷設定または複合機３に対応する印刷設定に基づいて出力する場合の画面イメージを出力する。具体的には、通信部１０１は、設定情報１１２における印刷設定ごとの画面イメージをもとに、ＰＣ２で設定された印刷設定の画面イメージと、所定の印刷設定または複合機３に対応する印刷設定の画面イメージをＰＣ２に対して出力する。
【００３０】
なお、比較部１０４は、比較結果において、設定情報１１２における所定の印刷設定または複合機３に対応する印刷設定の印刷枚数または印刷コストに対し、ＰＣ２で設定された印刷設定の印刷枚数または印刷コストが増加する場合に画面イメージの出力を通信部１０１に指示する。
【００３１】
具体的には、比較部１０４は、カラー／モノクロについては、モノクロ印刷に対してカラー印刷の場合に印刷コストが増加するものと判断する。また、比較部１０４は、片面／両面については、両面印刷に対して片面印刷の場合に印刷コストが増加するものと判断する。また、比較部１０４は、レイアウトについては、１  ｉｎ  １（最大）＞２  ｉｎ  １＞４  ｉｎ  １…の順に印刷コストがかかるものと判断する。同様に、比較部１０４は、両面印刷に対して片面印刷の場合に印刷枚数が増加するものと判断する。また、通信部１０１は、１  ｉｎ  １（最大）＞２  ｉｎ  １＞４  ｉｎ  １…の順に印刷枚数が増加するものとする。
【００３２】
例えば、比較部１０４は、カラー、両面、１  ｉｎ  １の第１の印刷設定と、モノクロ、両面、２  ｉｎ  １の第２の印刷設定とを比較した場合、第２の印刷設定に対して第１の印刷設定の方が印刷コストが増加するものと判断する。また、比較部１０４は、第２の印刷設定に対して第１の印刷設定の方が印刷枚数が増加するものと判断する。そして、比較部１０４は、印刷コストが増加する場合に、ＰＣ２で設定された印刷設定の画面イメージと、所定の印刷設定または複合機３に対応する印刷設定の画面イメージとの出力を通信部１０１に指示する。したがって、通信部１０１からは、印刷コストが増加する場合に、ＰＣ２や複合機３に対して画面イメージが出力されることとなる。
【００３３】
また、比較部１０４は、画面イメージとともに、いずれの画面イメージに基づき印刷を実行するかの選択画面の出力を通信部１０１に指示する。これにより、通信部１０１は、印刷設定の画面イメージとともに、操作ボタンなどで印刷設定を選択する表示画面の表示データを生成し、ＰＣ２や複合機３に対して送信する。
【００３４】
また、比較部１０４は、画面イメージとともに、印刷設定に基づいて印刷が実行される際の印刷枚数、印刷コストに関する情報の出力を通信部１０１に指示する。具体的には、比較部１０４は、印刷設定のレイアウトに従った場合の印刷枚数と、カラー印刷またはモノクロ印刷での一枚あたりの単価に、印刷枚数を掛け合わせて得られた費用の表示を通信部１０１に指示する。これにより、通信部１０１は、印刷設定の画面イメージとともに、印刷枚数と費用を表示する表示データを生成し、ＰＣ２や複合機３に対して送信する。
【００３５】
印刷制御部１０５は、記憶部１０２が記憶する印刷データ１１０による複合機３での印刷を制御する。具体的には、印刷制御部１０５は、ジョブＩＤなどを指定したＰＣ２や複合機３からの印刷指示をもとに、記憶部１０２が記憶する印刷データ１１０の中からジョブＩＤに該当する印刷データ１１０を読み出す。次いで、印刷制御部１０５は、印刷指示のあった複合機３に対応するプリンタードライバー１０７を介して複合機３に対応する印刷データ１１０ａを生成し、生成した印刷データ１１０ａを通信部１０１より複合機３へ送信する。
【００３６】
ここで、印刷管理システム１における動作の詳細について説明する。図３は、実施形態にかかる印刷管理システム１の動作例を示すフローチャートである。具体的には、図３は、複合機３から出力が指示される場合の動作の一例を示すフローチャートである。
【００３７】
図３に示すように、ＰＣ２では、ワープロ、表計算などの印刷アプリケーション２１でファイルを開き（Ｓ１１）、開いたファイルの印刷設定（モノクロ／カラー、両面／片面、レイアウトなど）を行い（Ｓ１２）、印刷を実行する（Ｓ１３）。
【００３８】
この印刷実行により、ＰＣ２のプリンタードライバー２２は、印刷設定に従って印刷を指示する、例えばＸＰＳ形式の中間形式データ（印刷データ１１０）を生成し（Ｓ１４）、生成した印刷データ１１０を印刷管理サーバ１００へ送信する（Ｓ１５）。
【００３９】
印刷管理サーバ１００の通信部１０１は、ＰＣ２から送信された印刷データ１１０を新たな印刷ジョブとして受け付け（Ｓ１６）、印刷ジョブのデータベースに受け付けた情報を格納する（Ｓ１７）。具体的には、記憶処理部１０３が、受信した印刷データ１１０にかかる印刷ジョブを示すジョブＩＤを付与した上で、印刷データ１１０と、印刷データ１１０に含まれる印刷属性１１１とを記憶部１０２に記憶する。
【００４０】
複合機３では、ユーザー４による画面操作などによりユーザー名やユーザーＩＤでの認証（ユーザー認証）を行う（Ｓ１８）。次いで、複合機３は、印刷管理サーバ１００に対し、認証により受け付けたユーザー情報（ユーザー名、ユーザーＩＤなど）の送信と、印刷ジョブの一覧取得を依頼する（Ｓ１９）。
【００４１】
複合機３からの依頼を受けた通信部１０１は、印刷ジョブのデータベースから一覧表示する印刷ジョブの情報を取得し、印刷ジョブの一覧を表示するための表示データを生成して複合機３へ送信する（Ｓ２０）。具体的には、通信部１０１は、記憶処理部１０３を介して記憶部１０２より印刷ジョブの情報を取得する。このとき、記憶処理部１０３は、印刷属性１１１を参照し、ＰＣ２から送信されたユーザー情報（ユーザ名、ユーザーＩＤなど）に該当するジョブＩＤの情報を選択して読み出す。
【００４２】
複合機３のＷｅｂブラウザ３１等では、印刷管理サーバ１００からの表示データをもとに、印刷ジョブの一覧情報を表示し（Ｓ２１）、ユーザー４による画面操作などにより印刷するジョブの選択を受け付ける（Ｓ２２）。
【００４３】
図４は、一覧画面の一例を説明する説明図である。図４に示すように、複合機３では、Ｗｅｂブラウザ３１等の要求に応じて印刷管理サーバ１００より生成された表示データをもとに、印刷管理サーバ１００が管理する印刷ジョブ３３の一覧が一覧画面３２として表示される。ユーザー４は、一覧画面３２において、例えば所定の印刷ジョブ３３を選択することで印刷ジョブ３３の印刷（出力）を指示する。
【００４４】
印刷ジョブ３３について出力の指示を受け付けた通信部１０１は、記憶処理部１０３を介して該当する印刷ジョブの情報をデータベースから取得する（Ｓ２３）。具体的には、記憶処理部１０３は、印刷属性１１１を参照し、指示された印刷ジョブ３３に該当するジョブＩＤの情報（印刷設定）を読み出す。
【００４５】
次いで、比較部１０４は、印刷ジョブ３３の印刷設定と、記憶部１０２に記憶した設定情報１１２における所定の印刷設定とを比較する（Ｓ２４）。
【００４６】
図５は、設定情報１１２の一例を説明する説明図である。図５に示すように、設定情報１１２は、文書ファイル、プレゼンテーションファイル等のファイルの種類ごとの、カラー／モノクロ、片面／両面、レイアウトなどの印刷設定が含まれる。なお、この印刷設定については、複合機３を示すプリンター名ごとに用意されていてもよい。比較部１０４は、設定情報１１２を参照することで、印刷ジョブ３３におけるファイルの種類に対応する印刷設定や、印刷ジョブ３３を送信した複合機３に対応する印刷設定と、印刷ジョブ３３の印刷設定とを比較する。
【００４７】
次いで、比較部１０４は、比較の結果、印刷ジョブ３３の印刷設定の方が設定情報１１２の印刷設定よりも印刷コストが増加するか否かを判定する（Ｓ２５）。
【００４８】
印刷コストが増加しない場合（Ｓ２５：ＮＯ）、比較部１０４はＳ３０へ処理を進める。印刷コストが増加する場合（Ｓ２５：ＹＥＳ）、通信部１０１は、複合機３に対し、印刷ジョブ３３の印刷設定に基づいた画面イメージと、記憶部１０２に記憶した設定情報１１２の印刷設定に基づいた画面イメージとを含む表示画面の表示データを送信する（Ｓ２６）。このとき、通信部１０１は、印刷設定の画面イメージとともに、操作ボタンなどで印刷設定を選択する表示画面の表示データを生成し、複合機３に対して送信する。
【００４９】
図６−１〜図６−４は、画面イメージの表示画面例を説明する説明図である。図６−１に示すように、複合機３のＷｅｂブラウザ３１等では、印刷管理サーバ１００からの表示データをもとに、表示画面３４が表示される。この表示画面３４には、印刷ジョブ３３の印刷設定に基づいた画面イメージ３４ａと、記憶部１０２に記憶した印刷設定に基づいた画面イメージ３４ｂとが含まれる。また、表示画面３４には、画面イメージ３４ａ、３４ｂに対応する印刷設定での印刷を指示する操作ボタン３５ａ、３５ｂが含まれる。
【００５０】
この画面イメージ３４ａ、画面イメージ３４ｂを有する表示画面３４により、複合機３を操作するユーザー４は、容易に印刷設定の内容を確認することができる。したがって、ユーザー４は、高コストでの誤った印刷設定を見つけ出すことができ、例えば印刷設定を操作ボタン３５ｂで変更することで高コストの印刷を防止し、印刷コストを削減することができる。
【００５１】
また、通信部１０１は、印刷設定の画面イメージ３４ａ、３４ｂとともに、印刷枚数と費用を表示する表示データを生成し、複合機３に対して送信してもよい。これにより、図６−２に示すように、表示画面３４には、画面イメージ３４ａ、３４ｂの印刷設定における印刷枚数、費用を示すコスト情報３４ｃが含まれていてもよい。
【００５２】
また、通信部１０１は、複数の印刷ジョブ３３の印刷設定について、印刷ジョブごとの画面イメージと、記憶部１０２に記憶した印刷設定に基づいた画面イメージとを並べて表示する表示データを生成し、複合機３に対して送信してもよい。これにより、図６−３に示すように、表示画面３４には、印刷ジョブ３３ごとの画面イメージ３４ｄと、記憶部１０２に記憶した印刷設定に基づいた画面イメージ３４ｅとが並べて表示される。ここで、ユーザー４は、複数の印刷ジョブ３３について、画面イメージ３４ｄのとおりに全てそのまま出力する場合は操作ボタン３５ｃを操作する。また、画面イメージ３４ｅのとおりに全て設定を変更して出力する場合は操作ボタン３５ｄを操作する。印刷ジョブ３３ごとに設定を決定する場合は操作ボタン３５ｅを操作する。
【００５３】
操作ボタン３５ｅの操作により、印刷ジョブ３３ごとに設定を決定する場合、複合機３は、印刷ジョブ３３の設定を個別に変更して設定を決定する画面を表示する。具体的には、図６−４に示す内容の表示画面３４を表示する。ユーザー４は、所定の印刷ジョブ３３を選択した上で操作ボタン３５ｆを操作することで、印刷ジョブ３３の設定内容を個別に変更することができる。また、ユーザー４は、操作ボタン３５ｇを操作することで、設定内容を確定させ、前の画面（図６−３参照）に戻すことができる。
【００５４】
印刷制御部１０５は、複合機３の操作による設定の変更の有無をもとに（Ｓ２８）、中間形式データ（印刷データ１１０）を設定内容に合わせるように修正する（Ｓ２９、Ｓ３０）。
【００５５】
具体的には、設定を変更する場合（Ｓ２８：ＹＥＳ）、印刷制御部１０５は、設定変更があった印刷ジョブの印刷データ１１０について、印刷設定を変更した中間形式データを生成し（Ｓ２９）、Ｓ３０へ処理を進める。設定を変更しない場合（Ｓ２８：ＮＯ）、印刷制御部１０５は、設定変更に合わせた中間形式データを生成することなく、Ｓ３０へ処理を進める。
【００５６】
Ｓ３０において、印刷制御部１０５は、複合機３の情報（例えばプリンター名）と、印刷する印刷ジョブにかかる中間形式データ（印刷データ１１０）を照合し（Ｓ３０）、変換の有無を判定する（Ｓ３１）。具体的には、印刷制御部１０５は、中間形式データが複合機３に対応したもの（印刷データ１１０＝印刷データ１１０ａ）であるか否かを判定する。複合機３に対応したものでなく、変換が必要である場合（Ｓ３１：ＹＥＳ）、印刷制御部１０５は、複合機３に対応したプリンタードライバー１０７により中間形式データ（印刷データ１１０ａ）を生成する（Ｓ３２）。
【００５７】
次いで、印刷制御部１０５は、中間形式データ（印刷データ１１０ａ）を出力先の複合機３へ送信する（Ｓ３３）。これにより、複合機３では、送信された印刷データ１１０ａによる印刷が実行される（Ｓ３４）。
【００５８】
図７は、実施形態にかかる印刷管理システム１の動作例を示すフローチャートである。具体的には、図７は、ＰＣ２から印刷ジョブを受信した場合の動作の一例を示すフローチャートである。
【００５９】
図７に示すように、ＰＣ２では、ワープロ、表計算などの印刷アプリケーション２１でファイルを開き（Ｓ４１）、開いたファイルの印刷設定（モノクロ／カラー、両面／片面、レイアウトなど）を行い（Ｓ４２）、印刷を実行する（Ｓ４３）。
【００６０】
この印刷実行により、ＰＣ２のプリンタードライバー２２は、印刷設定に従って印刷を指示する、例えばＸＰＳ形式の中間形式データ（印刷データ１１０）を生成し（Ｓ４４）、生成した印刷データ１１０を印刷管理サーバ１００へ送信する（Ｓ４５）。
【００６１】
印刷管理サーバ１００の通信部１０１は、ＰＣ２から送信された印刷データ１１０を新たな印刷ジョブとして受け付ける（Ｓ４６）。次いで、比較部１０４は、受け付けた印刷ジョブの印刷設定と、記憶部１０２に記憶した設定情報１１２における所定の印刷設定とを比較する（Ｓ４７）。
【００６２】
次いで、比較部１０４は、比較の結果、受け付けた印刷ジョブの印刷設定の方が設定情報１１２の印刷設定よりも印刷コストが増加するか否かを判定する（Ｓ４８）。
【００６３】
印刷コストが増加しない場合（Ｓ４８：ＮＯ）、比較部１０４はＳ５６へ処理を進める。印刷コストが増加する場合（Ｓ４８：ＹＥＳ）、通信部１０１は、ＰＣ２に対し、印刷ジョブの印刷設定に基づいた画面イメージと、記憶部１０２に記憶した設定情報１１２の印刷設定に基づいた画面イメージとを含む表示画面の表示データを送信する（Ｓ４９）。このとき、通信部１０１は、印刷設定の画面イメージとともに、操作ボタンなどで印刷設定を選択する表示画面の表示データを生成し、ＰＣ２に対して送信する。
【００６４】
ＰＣ２では、印刷管理サーバ１００からの表示データをもとに、図６−１〜図６−４と同様の表示画面３４が表示される（Ｓ５０）。ＰＣ２は、ユーザー４の操作による設定の変更の有無をもとに（Ｓ５１）、中間形式データ（印刷データ１１０）を設定内容に合わせるように修正する（Ｓ５２〜Ｓ５４）。
【００６５】
具体的には、設定を変更しない場合（Ｓ５１：ＮＯ）、ＰＣ２は、前回（Ｓ４５）送った中間形式データ（印刷データ１１０）をそのまま印刷管理サーバ１００へ送信する（Ｓ５２）。設定を変更する場合（Ｓ５１：ＹＥＳ）、ＰＣ２は、設定変更があった印刷ジョブの印刷データ１１０について、印刷設定を変更した中間形式データを生成し（Ｓ５３）、生成した中間形式データを印刷管理サーバ１００へ送信する（Ｓ５４）。
【００６６】
次いで、印刷管理サーバ１００の通信部１０１は、ＰＣ２から送信された中間形式データ（印刷データ１１０）を受け付け（Ｓ５５）、印刷ジョブのデータベースに受け付けた情報を格納する（Ｓ５６）。具体的には、記憶処理部１０３が、受信した印刷データ１１０にかかる印刷ジョブを示すジョブＩＤを付与した上で、印刷データ１１０と、印刷データ１１０に含まれる印刷属性１１１とを記憶部１０２に記憶する。
【００６７】
複合機３では、ユーザー４による画面操作などによりユーザー名やユーザーＩＤでの認証（ユーザー認証）を行う（Ｓ５７）。次いで、複合機３は、印刷管理サーバ１００に対し、認証により受け付けたユーザー情報（ユーザー名、ユーザーＩＤなど）の送信と、印刷ジョブの一覧取得を依頼する（Ｓ５８）。
【００６８】
複合機３からの依頼を受けた通信部１０１は、印刷ジョブのデータベースから一覧表示する印刷ジョブの情報を取得し、印刷ジョブの一覧を表示するための表示データを生成して複合機３へ送信する（Ｓ５９）。具体的には、通信部１０１は、記憶処理部１０３を介して記憶部１０２より印刷ジョブの情報を取得する。このとき、記憶処理部１０３は、印刷属性１１１を参照し、ＰＣ２から送信されたユーザー情報（ユーザ名、ユーザーＩＤなど）に該当するジョブＩＤの情報を選択して読み出す。
【００６９】
複合機３のＷｅｂブラウザ３１等では、印刷管理サーバ１００からの表示データをもとに、印刷ジョブの一覧情報を表示し（Ｓ６０）、ユーザー４による画面操作などにより印刷するジョブの選択を受け付ける（Ｓ６１）。
【００７０】
印刷ジョブ３３について出力の指示を受け付けた通信部１０１は、記憶処理部１０３を介して該当する印刷ジョブの情報をデータベースから取得する（Ｓ６２）。具体的には、記憶処理部１０３は、印刷属性１１１を参照し、指示された印刷ジョブ３３に該当するジョブＩＤの情報（印刷設定）を読み出す。
【００７１】
次いで、比較部１０４は、印刷ジョブ３３の印刷設定と、記憶部１０２に記憶した設定情報１１２における所定の印刷設定とを比較する（Ｓ６３）。以後、前述したＳ２５〜Ｓ２９と同様の処理を行ってもよい。
【００７２】
次いで、印刷制御部１０５は、複合機３の情報（例えばプリンター名）と、印刷する印刷ジョブにかかる中間形式データ（印刷データ１１０）を照合し（Ｓ６４）、変換の有無を判定する（Ｓ６５）。変換が必要である場合（Ｓ６５：ＹＥＳ）、印刷制御部１０５は、複合機３に対応したプリンタードライバー１０７により中間形式データ（印刷データ１１０ａ）を生成する（Ｓ６６）。
【００７３】
次いで、印刷制御部１０５は、中間形式データ（印刷データ１１０ａ）を出力先の複合機３へ送信する（Ｓ６７）。これにより、複合機３では、送信された印刷データ１１０ａによる印刷が実行される（Ｓ６８）。
【００７４】
以上のように、印刷管理サーバ１００は、複合機３から印刷ジョブ３３の一覧表示の出力の指示を受信した場合または印刷データ１１０の出力の指示を受信した場合に、ＰＣ２から受信したＰＣ２で設定された印刷データ１１０の印刷設定と、所定の印刷設定または複合機３に対応する印刷設定とを比較する。また、印刷管理サーバ１００は、印刷設定の比較結果に応じて、複合機３に対し、ＰＣ２で設定された印刷設定に基づいて出力する場合の画面イメージ３４ａと、所定の印刷設定または複合機３に対応する印刷設定に基づいて出力する場合の画面イメージ３４ｂを送信する。このように送信された画面イメージ３４ａ、画面イメージ３４ｂにより、複合機３を操作するユーザー４は、容易に印刷設定の内容を確認することができる。したがって、ユーザー４は、高コストでの誤った印刷設定を見つけ出すことができ、例えば印刷設定を変更することで高コストの印刷を防止し、印刷コストを削減することができる。
【００７５】
また、印刷管理サーバ１００は、印刷設定の比較結果として、所定の印刷設定で印刷が行われる際の印刷枚数または印刷コストに対し、ＰＣ２で設定された印刷設定で印刷が行われる際の印刷枚数または印刷コストが増加する場合に画面イメージ３４ａ、３４ｂの出力を指示する。これにより、複合機３を操作するユーザー４は、印刷枚数または印刷コストが所定の印刷設定よりも増加する場合に送信された画面イメージ３４ａ、画面イメージ３４ｂにより、印刷設定の内容を確認することができる。このため、ユーザー４は、高コストでの誤った印刷設定を容易に見つけ出すことができる。
【００７６】
また、印刷管理サーバ１００は、画面イメージ３４ａ、３４ｂとともに、いずれの画面イメージに基づき印刷を実行するかの選択を行う表示画面３４の出力を指示する。これにより、印刷管理サーバ１００は、例えばユーザー４が高コストの印刷設定を低コストに設定に変更する際のミスを防止することができる。
【００７７】
また、印刷管理サーバ１００は、画面イメージ３４ａ、３４ｂ等とともに、印刷が実行される際の印刷枚数、印刷コストに関するコスト情報３４ｃの出力を指示する。このコスト情報３４ｃにより、ユーザー４は、印刷設定における印刷枚数、印刷コストを容易に確認できる。
【００７８】
また、印刷管理サーバ１００は、プリンタードライバー２２がインストールされたＰＣ２から印刷ジョブを受信した場合に、ＰＣ２から受信した印刷データ１１０の印刷設定と、所定の印刷設定または複合機３に対応する印刷設定とを比較する。次いで、印刷管理サーバ１００は、比較結果に応じて、ＰＣ２に対し、ＰＣ２で設定された印刷設定に基づいて出力する場合の画面イメージ３４ａと、所定の印刷設定または複合機３に対応する印刷設定に基づいて出力する場合の画面イメージ３４ｂを送信する。このように送信された画面イメージ３４ａ、画面イメージ３４ｂにより、ＰＣ２を操作するユーザー４は、容易に印刷設定の内容を確認することができる。したがって、ユーザー４は、高コストでの誤った印刷設定を見つけ出すことができ、例えば印刷設定を変更することで高コストの印刷を防止し、印刷コストを削減することができる。
【００７９】
上記文書中や図面中で示した処理手順、制御手順、具体的名称、各種のデータやパラメータを含む情報については、特記する場合を除いて任意に変更することができる。また、実施例で説明した具体例、分布、数値などは、あくまで一例であり、任意に変更することができる。
【００８０】
また、図示した各装置の各構成要素は機能概念的なものであり、必ずしも物理的に図示の如く構成されていることを要しない。すなわち、各装置の分散や統合の具体的形態は図示のものに限られない。つまり、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００８１】
図８は、ハードウェア構成例を説明する図である。図８に示すように、印刷管理サーバ１００は、通信装置１００ａ、ＨＤＤ（Hard  Disk  Drive）１００ｂ、メモリ１００ｃ、プロセッサ１００ｄを有する。また、図８に示した各部は、バス等で相互に接続される。
【００８２】
通信装置１００ａは、ネットワークインタフェースカードなどであり、他のサーバとの通信を行う。ＨＤＤ１００ｂは、図１に示した機能部（通信部１０１、記憶処理部１０３、比較部１０４および印刷制御部１０５）を動作させるプログラムを記憶する。また、ＨＤＤ１００ｂは、プログラムの実行により参照される各種情報（印刷データ１１０、印刷属性１１１および設定情報１１２）を記憶する記憶部１０２の一例である。
【００８３】
プロセッサ１００ｄは、図１に示した各機能部（通信部１０１、記憶処理部１０３、比較部１０４および印刷制御部１０５）と同様の処理を実行するプログラムをＨＤＤ１００ｂ等から読み出してメモリ１００ｃに展開することで、各機能部を実行するプロセスを動作させる。すなわち、このプロセスは、印刷管理サーバ１００が有する各機能部（通信部１０１、記憶処理部１０３、比較部１０４および印刷制御部１０５）と同様の機能を実行する。具体的には、プロセッサ１００ｄは、通信部１０１、記憶処理部１０３、比較部１０４および印刷制御部１０５等と同様の機能を有するプログラムをＨＤＤ１００ｂ等から読み出す。そして、プロセッサ１００ｄは、通信部１０１、記憶処理部１０３、比較部１０４および印刷制御部１０５等と同様の処理を実行するプロセスを実行する。
【００８４】
このように、印刷管理サーバ１００は、プログラムを読み出して実行することで複合機３の印刷制御を実行する情報処理装置として動作する。また、印刷管理サーバ１００は、媒体読取装置によって記録媒体から上記プログラムを読み出し、読み出された上記プログラムを実行することで上記の実施形態と同様の機能を実現することもできる。なお、プログラムは、上記の印刷管理サーバ１００によって実行されることに限定されるものではない。例えば、他のコンピュータ、サーバ、または、クラウドコンピュータがプログラムを実行する場合や、これらが協働してプログラムを実行するような場合にも、同様に適用することができる。
【００８５】
また、このプログラムは、インターネットなどのネットワークを介して配布することができる。また、このプログラムは、ハードディスク、フレキシブルディスク（ＦＤ）、ＣＤ−ＲＯＭ、ＭＯ（Magneto−Optical  disk）、ＤＶＤ（Digital  Versatile  Disc）などのコンピュータで読み取り可能な記録媒体に記録され、コンピュータによって記録媒体から読み出されることによって実行することができる。
【符号の説明】
【００８６】
１…印刷管理システム
２…ＰＣ
３…複合機
４…ユーザー
２１…印刷アプリケーション
２２…プリンタードライバー
３１…Ｗｅｂブラウザ
３２…一覧画面
３３…印刷ジョブ
３４…表示画面
３４ａ、３４ｂ、３４ｄ、３４ｅ…画面イメージ
３４ｃ…コスト情報
３５ａ〜３５ｆ…操作ボタン
１００…印刷管理サーバ
１００ａ…通信装置
１００ｂ…ＨＤＤ
１００ｃ…メモリ
１００ｄ…プロセッサ
１０１…通信部
１０２…記憶部
１０３…記憶処理部
１０４…比較部
１０５…印刷制御部
１０７…プリンタードライバー
１１０…印刷データ
１１０ａ…印刷データ
１１１…印刷属性
１１２…設定情報
【図１】
2019215892.tif 000003
【図２】
2019215892.tif 000004
【図３】
2019215892.tif 000005
【図４】
2019215892.tif 000006
【図５】
2019215892.tif 000007
【図６−１】
2019215892.tif 000008
【図６−２】
2019215892.tif 000009
【図６−３】
2019215892.tif 000010
【図６−４】
2019215892.tif 000011
【図７】
2019215892.tif 000012
【図８】
2019215892.tif 000013
【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
複合機から印刷ジョブの一覧表示の出力の指示を受信した場合または印刷データの出力の指示を受信した場合に、端末から受信した前記端末で設定された印刷データの印刷設定と、所定の印刷設定または前記複合機に対応する印刷設定とを比較し、
比較結果に応じて、前記複合機に対し、前記端末で設定された印刷設定に基づいて出力する場合の画面イメージと、前記所定の印刷設定または前記複合機に対応する前記印刷設定に基づいて出力する場合の画面イメージを送信する、
処理をコンピュータに実行させることを特徴とする印刷制御プログラム。
【請求項２】
前記比較結果として、記憶部に記憶した印刷設定または前記印刷データを出力する複合機に対応付けて設定された印刷設定で印刷が行われる際の印刷枚数または印刷コストに対し、前記端末で設定された印刷設定で印刷が行われる際の印刷枚数または印刷コストが増加する場合に前記画面イメージの出力を指示する、
処理をコンピュータに実行させることを特徴とする請求項１に記載の印刷制御プログラム。
【請求項３】
前記画面イメージとともに、いずれの画面イメージに基づき印刷を実行するかの選択画面の出力を指示する、
処理をコンピュータに実行させることを特徴とする請求項１または２に記載の印刷制御プログラム。
【請求項４】
前記画面イメージとともに、前記端末により設定された印刷設定と前記複合機に予め設定された印刷設定とに基づいて印刷が実行される際の印刷枚数、印刷コストに関する情報の出力を指示する、
処理をコンピュータに実行させることを特徴とする請求項１に記載の印刷制御プログラム。
【請求項５】
プリンタードライバーがインストールされた端末から印刷ジョブを受信した場合に、前記端末から受信した前記端末で設定された印刷データの印刷設定と、所定の印刷設定または複合機に対応する印刷設定とを比較し、
比較結果に応じて、前記端末に対し、前記端末で設定された印刷設定に基づいて出力する場合の画面イメージと、前記所定の印刷設定または前記複合機に対応する前記印刷設定に基づいて出力する場合の画面イメージを送信する、
処理をコンピュータに実行させることを特徴とする印刷制御プログラム。
【請求項６】
複合機から印刷ジョブの一覧表示の出力の指示を受信した場合または印刷データの出力の指示を受信した場合に、端末から受信した前記端末で設定された印刷データの印刷設定と、所定の印刷設定または前記複合機に対応する印刷設定とを比較し、
比較結果に応じて、前記複合機に対し、前記端末で設定された印刷設定に基づいて出力する場合の画面イメージと、前記所定の印刷設定または前記複合機に対応する前記印刷設定に基づいて出力する場合の画面イメージを送信する、
処理をコンピュータが実行することを特徴とする印刷制御方法。
【請求項７】
プリンタードライバーがインストールされた端末から印刷ジョブを受信した場合に、前記端末から受信した前記端末で設定された印刷データの印刷設定と、所定の印刷設定または複合機に対応する印刷設定とを比較し、
比較結果に応じて、前記端末に対し、前記端末で設定された印刷設定に基づいて出力する場合の画面イメージと、前記所定の印刷設定または前記複合機に対応する前記印刷設定に基づいて出力する場合の画面イメージを送信する、
処理をコンピュータが実行することを特徴とする印刷制御方法。
【請求項８】
複合機から印刷ジョブの一覧表示の出力の指示を受信した場合または印刷データの出力の指示を受信した場合に、端末から受信した前記端末で設定された印刷データの印刷設定と、所定の印刷設定または前記複合機に対応する印刷設定とを比較する比較部と、
比較結果に応じて、前記複合機に対し、前記端末で設定された印刷設定に基づいて出力する場合の画面イメージと、前記所定の印刷設定または前記複合機に対応する前記印刷設定に基づいて出力する場合の画面イメージを送信する通信部と、
を有することを特徴とする印刷制御装置。
【請求項９】
プリンタードライバーがインストールされた端末から印刷ジョブを受信した場合に、前記端末から受信した前記端末で設定された印刷データの印刷設定と、所定の印刷設定または複合機に対応する印刷設定とを比較する比較部と、
比較結果に応じて、前記端末に対し、前記端末で設定された印刷設定に基づいて出力する場合の画面イメージと、前記所定の印刷設定または前記複合機に対応する前記印刷設定に基づいて出力する場合の画面イメージを送信する通信部と、
を有することを特徴とする印刷制御装置。
【国際調査報告】
2019215892.tif 000014
2019215892.tif 000015